(57)【要約】 【課題】高画質化に適した構造を得ることができる電子機器及びテレビジョン受像機を提供する。【解決手段】一つの実施形態によれば、電子機器は、長方形状の液晶パネルと、導光板と、前記液晶パネルの短辺に沿うように前記導光板の側方に設けられ、複数のＬＥＤを有したライトバーと、前記導光板に重ねられた反射シートと、前記反射シートとは反対側から前記導光板に重ねられたプリズムシートと、前記プリズムシートに重ねられ、光拡散機能を有した偏光シートと、を備えている。【選択図】図３
2012137670.tif 000002
【特許請求の範囲】
【請求項１】
一方の長辺から他方の長辺に向けて画像の書き込みが進む長方形状の液晶パネルと、
長方形状の導光板と、
前記画像の書き込みが進む方向に沿うように前記導光板の両短辺に沿って配置され、それぞれ回路基板と、この回路基板に実装され、前記画像の書き込みが進む方向に沿って並べられた複数のＬＥＤとを有した一対のライトバーと、
前記導光板に重ねられた反射シートと、
前記反射シートとは反対側から前記導光板に重ねられたプリズムシートと、
前記プリズムシートに重ねられた偏光シートと、
を備え、
前記複数のＬＥＤは、前記画像の書き込みが進む方向に複数のグループに分割されるとともに、前記グループ毎に配線が個別に接続され、各グループのＬＥＤは、前記画像の書き込みの進行に同期して前記グループ毎に点灯または消灯され、
前記回路基板は、金属ベースと、この金属ベース上に設けられた複数の導体層とを有し、前記グループ毎に接続された配線は、前記複数の導体層に分かれて配線されたテレビジョン受像機。
【請求項２】
請求項１の記載において、
前記回路基板は、前記複数のＬＥＤが実装された基板面を有するとともに、前記反射シートに略直交する姿勢に立て起こされて配置され、前記基板面が前記導光板の側面に向かい合うテレビジョン受像機。
【請求項３】
請求項２の記載において、
当該テレビジョン受像機は、前記導光板、前記反射シート、前記プリズムシート、及び前記偏光シートを含むバックライトユニットを備え、
前記回路基板の短手方向の幅は、前記バックライトユニットの厚さよりも小さいテレビジョン受像機。
【請求項４】
請求項３の記載において、
前記導光板の側面に対向した金属製のフレーム部を備え、
前記ライトバーは、前記フレーム部に取り付けられるとともに、前記フレーム部に熱的に接続されたテレビジョン受像機。
【請求項５】
請求項４の記載において、
前記バックライトユニットを覆うとともに外部に露出されたバックカバーを備え、
前記フレーム部は、前記バックカバーとの間に前記バックライトユニットを保持する第１の部分と、前記バックライトユニットの側面に対向する第２の部分とを有し、前記ライトバーは、前記フレーム部の第２の部分に取り付けられたテレビジョン受像機。
【請求項６】
請求項５の記載において、
前記バックカバーは、金属製であり、
前記フレーム部は、前記バックカバーに熱的に接続されたテレビジョン受像機。
【請求項７】
請求項６の記載において、
前記液晶パネルの縁部を覆うとともに外部に露出され、前記フレーム部との間に前記液晶パネルを保持した金属製のフロントカバーを備え、
前記フレーム部は、前記フロントカバーに熱的に接続されたテレビジョン受像機。
【請求項８】
長方形状の液晶パネルと、
導光板と、
前記液晶パネルの短辺に沿うように前記導光板の側方に設けられ、複数のＬＥＤを有したライトバーと、
前記導光板に重ねられた反射シートと、
前記反射シートとは反対側から前記導光板に重ねられたプリズムシートと、
前記プリズムシートに重ねられ、光拡散機能を有した偏光シートと、
を備えた電子機器。
【請求項９】
請求項８の記載において、
前記液晶パネルは、一方の長辺から他方の長辺に向けて画像の書き込みが進み、
前記複数のＬＥＤは、前記画像の書き込みが進む方向に沿って並べられた電子機器。
【請求項１０】
請求項９の記載において、
前記複数のＬＥＤは、前記画像の書き込みが進む方向に複数のグループに分割され、各グループのＬＥＤは、前記画像の書き込みの進行に同期して点灯または消灯される電子機器。
【発明の詳細な説明】
【技術分野】
【０００１】
本発明の実施形態は、テレビジョン受像機及び電子機器に関する。
【背景技術】
【０００２】
いくつかの電子機器は、液晶パネルと、導光板と、ライトバーとを備えている。
【先行技術文献】
【特許文献】
【０００３】
【特許文献１】特開２００６−２１５３９０号公報
【発明の概要】
【発明が解決しようとする課題】
【０００４】
電子機器やテレビジョン受像機は、高画質化に適した構造が期待されている。
【０００５】
本発明の目的は、高画質化に適した構造を得ることができる電子機器及びテレビジョン受像機を提供することである。
【課題を解決するための手段】
【０００６】
実施形態によれば、電子機器は、長方形状の液晶パネルと、導光板と、前記液晶パネルの短辺に沿うように前記導光板の側方に設けられ、複数のＬＥＤを有したライトバーと、前記導光板に重ねられた反射シートと、前記反射シートとは反対側から前記導光板に重ねられたプリズムシートと、前記プリズムシートに重ねられ、光拡散機能を有した偏光シートと、を備えている。
【図面の簡単な説明】
【０００７】
【図１】一つの実施形態に係るテレビジョン受像機の正面図。
【図２】図１中に示されたテレビジョン受像機の側面図。
【図３】図１中に示されたテレビジョン受像機の構成を模式的に示す分解斜視図。
【図４】図１中に示されたテレビジョン受像機のＦ４−Ｆ４線に沿う断面図。
【図５】図４中に示されたライトバーの斜視図。
【図６】図４中に示されたライトバーの平面図。
【図７】図４中に示されたライトバーの配線を模式的に示す図。
【図８】図４中に示されたライトバーの動作の一例を模式的に示す図。
【図９】図４中に示されたライトバーの動作の他の一例を模式的に示す図。
【図１０】図６中に示されたライトバーのＦ１０−Ｆ１０線に沿う断面図。
【発明を実施するための形態】
【０００８】
以下、実施の形態について、図面を参照して説明する。  
図１乃至図１０は、一つの実施形態に係るテレビジョン受像機１を開示している。テレビジョン受像機１は、電子機器の一例である。なお、本実施形態が適用可能な電子機器は、テレビジョン受像機に限られず、ノートブック型パーソナルコンピュータや、携帯電話、スマートフォン、ＰＤＡ(Personal Digital Assistant)、ゲーム機などを含む種々の電子機器に広く適用可能である。
【０００９】
図１及び図２に示すように、テレビジョン受像機１は、ディスプレイ本体２と、スタンド３とを備える。スタンド３は、例えばテレビ台の上に設置される。ディスプレイ本体２は、扁平状に形成されるとともに、略鉛直に起立した姿勢でスタンド３に支持される。
【００１０】
ディスプレイ本体２は、筐体４を備えている。筐体４は、前壁５、背壁６、及び周壁７を有する。前壁５は、略鉛直に起立するとともに、ユーザーに向かい合う。背壁６は、前壁５とは反対側に位置されるとともに、前壁５と略平行になるように略鉛直に起立している。周壁７は、前壁５の周縁部と背壁６の周縁部との間を繋いでいる。
【００１１】
周壁７は、上壁７ａ、下壁７ｂ、左側壁７ｃ（第１の側壁）、及び右側壁７ｄ（第２の側壁）を有する。上壁７ａ及び下壁７ｂは、それぞれ略水平に延びている。左側壁７ｃ及び右側壁７ｄは、それぞれ略鉛直に延びている。これにより扁平な長方形状の筐体４が形成されている。
【００１２】
図３に示すように、テレビジョン受像機１は、バックカバー１１、バックライトユニット１２、ミドルフレーム１３、液晶パネル１４、及びフロントカバー１５を有する。バックカバー１１は、「第１のカバー」の一例である。フロントカバー１５は、「第２のカバー」の一例である。ミドルフレーム１３は、「フレーム部」の一例である。液晶パネル１４は、「パネル」の一例である。なお「パネル」は、液晶以外のパネルであってもよい。
【００１３】
図３及び図４に示すように、液晶パネル１４は、背面１４ａ、前面１４ｂ、及び周面１４ｃを有する。背面１４ａは、「第１の面」の一例である。前面１４ｂは、「第２の面」の一例である。前面１４ｂは、背面１４ａとは反対側に位置され、表示画面１７を有する。周面１４ｃは、「第３の面」の一例である。周面１４ｃは、背面１４ａと前面１４ｂとの間に位置される。
【００１４】
液晶パネル１４は、４つの辺２１，２２，２３，２４を有した長方形状に形成されている。４つの辺２１，２２，２３，２４は、２つの長辺２１，２２と、２つの短辺２３，２４とを含む。図１に示すように、液晶パネル１４は、２つの長辺２１，２２を略水平にした姿勢で、筐体４内に収容されている。２つの長辺２１，２２は、上側の長辺である第１の長辺２１と、下側の長辺である第２の長辺２２とを含む。
【００１５】
図３に示すように、液晶パネル１４は、パネル本体２５と、このパネル本体２５に取り付けられたソース基板２６及びドライバＩＣ２７，２８とを有する。一方のドライバＩＣ２７は、ソースＣＯＦ(Chip On Film)である。他方のドライバＩＣ２８は、ゲートＣＯＦである。
【００１６】
図３に示すように、本実施形態の液晶パネル１４は、第１の長辺２１から第２の長辺２２に向けて走査線２９が配列されている。図３中の矢印Ｐは、液晶パネル１４の画像の書き込みが進む方向を示す。液晶パネル１４は、第１の長辺２１から第２の長辺２２に向けて順に走査線２９に画像が書き込まれる。これにより、液晶パネル１４は、第１の長辺２１から第２の長辺２２に向けて画像の書き込みが進む。
【００１７】
図４に示すように、パネル本体２５は、液晶層３１と、２枚のガラス板３２，３３と、２枚の偏光板３４，３５（偏光フィルタ）とを有する。液晶層３１は、２枚のガラス板３２，３３に挟まれている。この２枚のガラス板３２，３３は、さらに２枚の偏光板３４，３５によって挟まれている。これにより２枚の偏光板３４，３５は、液晶パネル１４の最外部に位置され、外部にむき出しになっている。一つの偏光板３５は、液晶パネル１４の前面１４ｂに位置され、フロントカバー１５に向かい合っている。
【００１８】
図３に示すように、バックライトユニット１２は、液晶パネル１４の背面１４ａに向かい合う。バックライトユニット１２は、反射シート４１、導光板４２、第１のプリズムシート４３、第２のプリズムシート４４、偏光シート４５、及び一対のライトバー４６を有する。
【００１９】
反射シート４１は、導光板４２の背面に重ねられている。第１のプリズムシート４３は、反射シート４１とは反対側から導光板４２に重ねられている。第１のプリズムシート４３の上には、第２のプリズムシート４４が重ねられている。第２のプリズムシート４４の上には、偏光シート４５が重ねられている。換言すれば、第１のプリズムシート４３と偏光シート４５との間に、第２のプリズムシート４４が追加されている。第１のプリズムシート４３は、例えば横目であり、第２のプリズムシート４４は、例えば縦目である。偏光シート４５は、光拡散機能を有する。
【００２０】
導光板４２は、液晶パネル１４に対応した長方形状を有する。すなわち導光板４２は、２つの長辺５１，５２と、２つの短辺５３，５４とを有する。導光板４２の長辺５１，５２は、液晶パネル１４の長辺２１，２２に沿って延びている。導光板４２の短辺５３，５４は、液晶パネル１４の短辺２３，２４に沿って延びている。
【００２１】
図５に示すように、ライトバー４６は、細長い回路基板５６と、この回路基板５６の表面に実装された複数のＬＥＤ５７とを有し、バックライトユニット１２の光源となる。複数のＬＥＤ５７は、回路基板５６の長手方向に沿って一列に並べられている。
【００２２】
図３に示すように、一対のライトバー４６は、液晶パネル１４の両短辺２３，２４に対応させて、導光板４２の左右の側方に配置されている。すなわち、一対のライトバー４６は、液晶パネル１４の画像の書き込みが進む方向に沿うように、導光板４２の両短辺５３，５４（左右の端辺）にそれぞれ沿って配置されている。複数のＬＥＤ５７は、液晶パネル１４の画像の書き込みが進む方向に沿って並べられている。なお、「液晶パネルの画像の書き込みが進む方向」は、「液晶パネルの走査線の配列方向（並んでいる方向）」のことである。
【００２３】
図４に示すように、導光板４２は、短辺５３，５４に沿って延びた側面５８を有する。回路基板５６は、複数のＬＥＤ５７が実装された第１の基板面５６ａ（第１の面）と、この第１の基板面５６ａとは反対側に位置された第２の基板面５６ｂ（第２の面）とを有する。
【００２４】
回路基板５６は、反射シート４１に略直交する姿勢に立て起こされて配置され、第１の基板面５６ａが導光板４２の側面５８に向かい合っている。すなわち、導光板４２の側面５８に回路基板５６が略平行であり、複数のＬＥＤ５７が導光板４２の側面５８に向かい合っている。回路基板５６の短手方向の幅Ｗは、バックライトユニット１２の厚さＴよりも小さい。
【００２５】
図６に示すように、複数のＬＥＤ５７は、液晶パネル１４の画像の書き込みが進む方向に複数のグループＧに分割されている。ライトバー４６の一例は、８４個のＬＥＤ５７を有するとともに、この８４個のＬＥＤ５７が４個ずつ、１６個のグループＧに分割されている。
【００２６】
図７に示すように、複数のＬＥＤ５７は、上記グループＧ毎に配線６２が個別に接続されている。すなわち１６個のグループＧに分割されたライトバー４６では、少なくとも１６本の配線６２が設けられている。これにより、複数のＬＥＤ５７は、グループＧ毎に独立して点灯または消灯できる。各グループＧのＬＥＤ５７は、液晶パネル１４の画像の書き込みの進行に同期してグループＧ毎に点灯または消灯される。
【００２７】
図８は、ライトバー４６の動作の一例を模式的に示す。上記各グループＧのＬＥＤ５７は、例えばそれぞれ各グループＧが隣接する走査線２９に対応付けされている。そして対応付けされている走査線２９に画像が書き込まれるタイミングに合わせて、そのグループＧのＬＥＤ５７が点灯させられる。すなわち、液晶パネル１４の画像の書き込みの進行に合わせて、ＬＥＤ５７はグループＧ毎に順に点灯させられる。換言すれば、液晶パネル１４の画像の書き込みに、バックライトの光るラインを追従させる。このとき他のグループＧのＬＥＤ５７は、例えば消灯させられている。このような動作によれば、残像感を減らすことができる。
【００２８】
図９は、ライトバー４６の動作の他の一例を模式的に示す。図９に示す例では、液晶パネル１４の画像の書き込みの進行に合わせて、一つまたは複数のグループＧのＬＥＤ５７が消灯させられる。すなわち画像の書き込みと同時に、画像１フレームの一部にバックライトが消灯している領域を設け、これにより残像感の低減を図ることができる。
【００２９】
図１０に示すように、回路基板５６は、金属ベース６３と、この金属ベース６３上に設けられた複数の導体層６４，６５と、これらの間に設けられた絶縁層６６，６７，６８とを有する。金属ベース６３の一例は、アルミニウム合金である。上記グループＧ毎に接続された配線６２は、上記複数の導体層６４，６５に分かれて配線されている。
【００３０】
次に、ライトバー４６の実装構造について説明する。  
図３及び図４に示すように、バックカバー１１は、液晶パネル１４及びバックライトユニット１２よりも一回り大きく形成されている。バックカバー１１は、金属製、例えばアルミニウム合金製である。バックカバー１１は、バックライトユニット１２の背面側に設けられ、外部に露出され、筐体４の背壁６を形成している。
【００３１】
バックカバー１１は、バックライトユニット１２を覆っている。さらに言えば、バックカバー１１は、バックライトユニット１２を間に介在させて、液晶パネル１４の背面１４ａを覆っている。図３に示すように、バックカバー１１の背面には、コントロール基板７１、ＬＥＤドライバ基板７２、及びそれらを覆うシールドケース７３，７４が取り付けられている。ＬＥＤドライバ基板７２は、ライトバー４６を制御する「制御部」の一例である。
【００３２】
図３及び図４に示すように、ミドルフレーム１３は、液晶パネル１４とバックライトユニット１２との間に介在するとともに、導光板４２の側面５８に対向している。ミドルフレーム１３は、バックカバー１１及びフロントカバー１５とは別体に形成されている。ミドルフレーム１３は、金属製、例えばアルミニウム合金製である。ミドルフレーム１３は、例えば導光板４２の４つの辺５１，５２，５３，５４に対応した４つのパーツに分割されて形成されている。なおミドルフレーム１３は、枠状に形成されたひとつの部材であってもよい。
【００３３】
図４に示すように、ミドルフレーム１３は、支持部８１（第１の部分）と、固定部８２（第２の部分）とを有する。支持部８１は、液晶パネル１４とバックライトユニット１２との間に介在されている。支持部８１とバックライトユニット１２との間には、例えばゴムのような弾性部材８３が設けられている。支持部８１は、バックライトユニット１２をバックカバー１１に向いて押さえている。これにより、バックカバー１１とミドルフレーム１３との間に、バックライトユニット１２が保持されている。
【００３４】
ミドルフレーム１３の支持部８１には、さらに液晶パネル１４が載置される。支持部８１と液晶パネル１４との間には、例えばゴムのような弾性部材８４が設けられている。支持部８１は、弾性部材８４を介して液晶パネル１４を支持している。
【００３５】
固定部８２は、液晶パネル１４とバックライトユニット１２との間を外れた位置に設けられている。固定部８２は、バックライトユニット１２の側面８６に対向する。固定部８２は、バックカバー１１とフロントカバー１５との間に亘る大きさを有し、バックカバー１１とフロントカバー１５との間に挟持されている。これにより、ミドルフレーム１３は、バックカバー１１とフロントカバー１５との間に保持されている。
【００３６】
図４に示すように、ライトバー４６は、導光板４２の側面５８に対向するようにミドルフレーム１３に取り付けられている。具体的には、ライトバー４６の回路基板５６が、ミドルフレーム１３の固定部８２に例えばねじ止めで固定されている。これにより、ライトバー４６は、ミドルフレーム１３に熱的に接続されている。すなわちライトバー４６が発する熱の一部は、ミドルフレーム１３に伝わる。
【００３７】
図３に示すように、フロントカバー１５は、液晶パネル１４及びバックライトユニット１２よりも一回り大きく形成されている。フロントカバー１５は、金属製、例えばアルミニウム合金製である。フロントカバー１５は、液晶パネル１４の前面側に設けられるとともに、バックカバー１１に連結され、筐体４の前壁５と周壁７とを形成している。フロントカバー１５は、液晶パネル１４の表示画面１７を露出させる開口部９１が設けられ、液晶パネル１４の縁部を覆う枠状に形成されている。フロントカバー１５は、外装部材の一例であり、テレビジョン受像機１の外部に露出され、外観の一部を形成している。
【００３８】
図４に示すように、フロントカバー１５は、液晶パネル１４の偏光板３５に直接に向かい合っている。フロントカバー１５と偏光板３５との間には、例えばゴムのような弾性部材９２が設けられている。フロントカバー１５は、弾性部材９２を介して偏光板３５を支持している。これにより、フロントカバー１５とミドルフレーム１３との間に、液晶パネル１４が保持されている。
【００３９】
図４に示すように、フロントカバー１５は、雌ねじが設けられたねじ孔９３を有する。バックカバー１１及びミドルフレーム１３は、フロントカバー１５のねじ孔９３に対応する挿通孔９４，９５を有する。ねじ９６は、バックカバー１１の挿通孔９４及びミドルフレーム１３の挿通孔９５に通され、ねじ孔９３に係合している。これにより、バックカバー１１、ミドルフレーム１３、及びフロントカバー１５は、ねじ９６によって共締めされている。
【００４０】
ミドルフレーム１３の固定部８２は、それぞれ金属製のバックカバー１１及びフロントカバー１５に熱的に接続されている。これにより、ライトバー４６からミドルフレーム１３に伝わった熱の一部は、バックカバー１１及びフロントカバー１５に伝わり、テレビジョン受像機１の外部に放出される。バックカバー１１、ミドルフレーム１３、及びフロントカバー１５を共締めするねじ９６は、バックカバー１１、ミドルフレーム１３、及びフロントカバー１５を互いに熱的に接続する熱伝導経路の一部となる。
【００４１】
図４及び図５に示すように、フロントカバー１５は、液晶パネル１４の前面１４ｂに向かい合う第１部分１５ａと、この第１部分１５ａの周縁部から起立して後方に延びた第２部分１５ｂとを有する。第２部分１５ｂは、ディスプレイ本体２の略全厚に亘る大きさを有する。フロントカバー１５は、液晶パネル１４の周面１４ｃ、ミドルフレーム１３の周面９８、バックライトユニット１２の周面９９を囲んでいる。すなわち、フロントカバー１５の第１部分１５ａが筐体４の前壁５を形成している。さらにフロントカバー１５の第２部分１５ｂが筐体４の周壁７を形成している。
【００４２】
このような構成によれば、高画質化に適した構造を得ることができる。すなわち、本実施形態のテレビジョン受像機１は、長方形状の液晶パネル１４と、液晶パネル１４の短辺２３，２４に沿うように導光板４２の側方に設けられ、複数のＬＥＤ５７を有したライトバー４６と、導光板４２に重ねられた反射シート４１と、反射シート４１とは反対側から導光板４２に重ねられたプリズムシート４３と、プリズムシート４３に重ねられ、光拡散機能を有した偏光シート４５とを有する。
【００４３】
これによれば、液晶パネル１４の短辺２３，２４に沿ってライトバー４６が配置される。ライトバー４６が液晶パネル１４の短辺２３，２４に沿って配置されると、液晶パネル１４の短手方向に画像の書き込みが進む場合、その画像の書き込みに合わせてＬＥＤ５７の点灯を制御することができる。これによれば、高画質化を図ることができる。
【００４４】
本実施形態では、複数のＬＥＤ５７は、液晶パネル１４の画像の書き込みが進む方向に複数のグループＧに分割され、各グループＧのＬＥＤ５７は、液晶パネル１４の画像の書き込みの進行に同期して点灯または消灯される。これによれば、液晶パネル１４の画像の書き込みのタイミングに合わせてバックライトユニット１２の一部の領域を点灯または消灯させることができ、映像の残像感を少なくすることができるなど、高画質化をより図ることができる。
【００４５】
ここで、ライトバー４６を導光板４２の短辺５３，５４に沿って配置する場合、導光板４２の長辺５１，５２に沿って配置する場合に比べて、ライトバー４６の全長が必然的に短くなる。その結果、ライトバー４６に搭載可能なＬＥＤ５７の数が少なくなり、ライトバー４６の輝度が低下する可能性がある。
【００４６】
そこで本実施形態では、第１のプリズムシート４３と偏光シート４５との間に第２のプリズムシート４４を備えている。これにより、ＬＥＤ５７の数を少なくしても、輝度の低下を抑制することができる。
【００４７】
さらに、偏光シート４５として、光拡散機能を有したものを採用することで、導光板４２と第１のプリズムシート４３との間に配置される拡散シートを省略することができる。これにより、少なくとも拡散シートの分だけバックライトユニット１２の厚みの減らすことができ、第２のプリズムシート４４を設けることによるバックライトユニット１２の厚みの増加を抑制することができる。
【００４８】
本実施形態では、複数のＬＥＤ５７は、例えば１６個のグループＧに分割されており、それらに接続された配線６２も少なくとも１６本必要になる。そしてこの１６本の配線６２を実装面積が限られた細長い回路基板５６の中にレイアウトする必要がある。
【００４９】
本実施形態では、ライトバー４６の回路基板５６は、金属ベース６３と、この金属ベース６３上に設けられた複数の導体層６４，６５とを有する。そしてグループＧ毎に接続された配線６２は、複数の導体層６４，６５に分かれて配線されている。これによれば、複数の配線６２が互いに干渉することなく、比較的小さな実装面積の中で配線することができる。
【００５０】
本実施形態では、回路基板５６は、複数のＬＥＤ５７が実装された基板面５６ａを有するとともに、反射シート４１に略直交する姿勢に立て起こされて配置され、基板面５６ａが導光板４２の側面５８に向かい合っている。このような構成によれば、回路基板５６を反射シート４１と略平行に配置する場合に比べ、ＬＥＤ５７の光量を無駄なく導光板４２に向けて放射することができる。
【００５１】
本実施形態では、回路基板５６の短手方向の幅Ｗは、バックライトユニット１２の厚さＴよりも小さい。これによれば、テレビジョン受像機１が厚さを抑制しつつ、回路基板５６をバックライトユニット１２の側面８６に沿わせて配置することができる。
【００５２】
上述したように、ライトバー４６を導光板４２の短辺５３，５４に沿って配置する場合、導光板４２の長辺５１，５２に沿って配置する場合に比べて、ライトバー４６の全長が必然的に短くなる。その結果、ライトバー４６に実装される個々のＬＥＤ５７の間の間隔が狭くなり、ＬＥＤ５７が狭ピッチで配置されることによる熱密度の上昇が生じる可能性がある。
【００５３】
そこで本実施形態では、テレビジョン受像機１は、導光板４２の側面５８に対向した金属製のミドルフレーム１３を備え、ライトバー４６は、ミドルフレーム１３に熱的に接続されている。これによれば、ミドルフレーム１３がライトバー４６の熱の一部を放出するヒートシンクとして機能するので、ライトバー４６の熱密度の上昇を緩和することができるとともに、ライトバー４６用に設けられる専用のヒートシンクを省略または小さくすることができる。これはテレビジョン受像機１の薄型化に寄与する。
【００５４】
本実施形態では、テレビジョン受像機１は、バックライトユニット１２を覆うとともに外部に露出されたバックカバー１１を備えている。ミドルフレーム１３は、バックカバー１１との間にバックライトユニット１２を保持する支持部８１と、バックライトユニット１２の側面８６に対向する固定部８２とを有する。ライトバー４６は、ミドルフレーム１３の固定部８２に取り付けられている。すなわち本実施形態では、バックライトユニット１２を保持するミドルフレーム１３を利用してライトバー４６が実装されている。これによれば、ライトバー４６の固定や保持に必要な部材を少なくすることができる。これは、テレビジョン受像機１の薄型化やコストダウンに寄与する。
【００５５】
本実施形態では、ミドルフレーム１３は、金属製のバックカバー１１に熱的に接続されている。これによれば、ライトバー４６の熱の一部は、バックカバー１１からテレビジョン受像機１の外部に放出される。これにより、ライトバー４６の放熱構造を簡略化することができる。
【００５６】
さらに本実施形態では、テレビジョン受像機１は、外部に露出されるとともにミドルフレーム１３との間に液晶パネル１４を保持した金属製のフロントカバー１５を備える。ミドルフレーム１３は、フロントカバー１５に熱的に接続されている。これによれば、ライトバー４６の熱の一部は、フロントカバー１５からテレビジョン受像機１の外部に放出される。これにより、ライトバー４６の放熱構造を簡略化することができる。
【００５７】
液晶パネル１４は熱に弱く、例えば局所的に熱くなると、その部分だけ映像が異なるなど不具合を生じる可能性がある。本実施形態では、ミドルフレーム１３と液晶パネル１４との間に弾性部材８４が設けられ、ミドルフレーム１３と液晶パネル１４との間に隙間が空けられている。この弾性部材８４により、ミドルフレーム１３の熱が液晶パネル１４に伝わりにくくなっている。
【００５８】
液晶パネル１４の偏光板３４，３５は、大きく熱膨張すると、偏光板としての機能が低下してしまう。本実施形態では、弾性部材８４により、ミドルフレーム１３の熱が偏光板３４に伝わりにくくなっている。同様に、弾性部材８３によりミドルフレーム１３の熱がバックライトユニット１２に伝わりにくくなっている。さらに弾性部材９２により、フロントカバー１５の熱が液晶パネル１４の偏光板３５に伝わりにくくなっている。
【００５９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００６０】
なお、フレーム部（ミドルフレーム１３）は、第１の金属カバー（バックカバー１１）、及び第２の金属カバー（フロントカバー１５）のいずれか一方と一体に形成されてもよい。ミドルフレーム１３は、少なくともライトバー４６が取り付けられる部分が金属製であれば、他の部分が金属以外の材料で形成されても放熱を促進することができる。またミドルフレーム１３の全体を金属以外の材料で形成してもよい。ミドルフレーム１３の形状や固定構造は、上記に限定されるものではない。バックカバー１１及びフロントカバー１５は、金属製でなくてもよい。
【符号の説明】
【００６１】
１…テレビジョン受像機、１１…バックカバー、１２…バックライトユニット、１３…ミドルフレーム、１４…液晶パネル、１５…フロントカバー、４１…反射シート、４２…導光板、４３…第１のプリズムシート、４４…第２のプリズムシート、４５…偏光シート、４６…ライトバー、５６…回路基板、５６ａ…基板面、５７…ＬＥＤ、Ｇ…グループ、６２…配線、６３…金属ベース、６４，６５…導体層、８１…支持部、８２…固定部。
【図１】
2012137670.tif 000003
【図２】
2012137670.tif 000004
【図３】
2012137670.tif 000005
【図４】
2012137670.tif 000006
【図５】
2012137670.tif 000007
【図６】
2012137670.tif 000008
【図７】
2012137670.tif 000009
【図８】
2012137670.tif 000010
【図９】
2012137670.tif 000011
【図１０】
2012137670.tif 000012
【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
一方の長辺から他方の長辺に向けて画像の書き込みが進む長方形状の液晶パネルと、
長方形状の導光板と、
前記液晶パネルと前記導光板との間に位置した第１部分と、前記導光板の側面に面した第２部分とを有した金属製のフレーム部と、
前記画像の書き込みが進む方向に沿うように前記導光板の両短辺に沿って前記フレーム部の第２部分に取り付けられ、それぞれ回路基板と、この回路基板に実装され、前記画像の書き込みが進む方向に沿って並べられた複数のＬＥＤとを有して前記フレーム部に熱的に接続された一対のライトバーと、
前記導光板に重ねられた反射シートと、
前記反射シートとは反対側から前記導光板に重ねられたプリズムシートと、
前記プリズムシートに重ねられた偏光シートと、
外部に露出されてテレビジョン受像機の外面の一部を構成するとともに、前記液晶パネルの縁部を覆い、前記フレーム部の第１部分との間に前記液晶パネルが保持され、前記フレーム部に接して前記フレーム部に熱的に接続された金属製のフロントカバーと、
外部に露出されてテレビジョン受像機の外面の他の一部を構成するとともに、前記反射シートを覆い、前記フレーム部の第１部分との間に前記導光板、前記反射シート、前記プリズムシート、及び前記偏光シートが保持され、前記フレーム部に接して前記フレーム部に熱的に接続された金属製のバックカバーと、
を備え、
前記複数のＬＥＤは、前記画像の書き込みが進む方向に複数のグループに分割されるとともに、前記グループ毎に配線が個別に接続され、各グループのＬＥＤは、前記画像の書き込みの進行に同期して前記グループ毎に点灯または消灯され、
前記回路基板は、金属ベースと、この金属ベース上に設けられた複数の導体層とを有し、前記グループ毎に接続された配線は、前記複数の導体層に分かれて配線されたテレビジョン受像機。
【請求項２】
請求項１の記載において、
前記回路基板は、前記複数のＬＥＤが実装された基板面を有するとともに、前記反射シートに略直交する姿勢に立て起こされて配置され、前記基板面が前記導光板の側面に向かい合うテレビジョン受像機。
【請求項３】
請求項２の記載において、
当該テレビジョン受像機は、前記導光板、前記反射シート、前記プリズムシート、及び前記偏光シートを含むバックライトユニットを備え、
前記回路基板の短手方向の幅は、前記バックライトユニットの厚さよりも小さいテレビジョン受像機。
【請求項４】
長方形状の液晶パネルと、
導光板と、
前記液晶パネルと前記導光板との間に位置した第１部分と、前記導光板の側面に面した第２部分とを有した金属製のフレーム部と、
前記液晶パネルの短辺に沿うように前記導光板の側方で前記フレーム部の第２部分に取り付けられ、ＬＥＤを有して前記フレーム部に熱的に接続されたライトバーと、
前記導光板に重ねられた反射シートと、
前記反射シートとは反対側から前記導光板に重ねられたプリズムシートと、
前記プリズムシートに重ねられ、光拡散機能を有した偏光シートと、
外部に露出されてテレビジョン受像機の外面の一部を構成するとともに、前記フレーム部の第１部分との間に前記導光板、前記反射シート、前記プリズムシート、及び前記偏光シートが保持され、前記フレーム部に接して前記フレーム部に熱的に接続された金属製のバックカバーと、
を備えたテレビジョン受像機。
【請求項５】
請求項４の記載において、
外部に露出されてテレビジョン受像機の外面の他の一部を構成するとともに、前記フレーム部の第１部分との間に前記液晶パネルが保持され、前記フレーム部に接して前記フレーム部に熱的に接続された金属製のフロントカバーをさらに備えたテレビジョン受像機。
【請求項６】
請求項５の記載において、
前記フロントカバーは、前記液晶パネルの縁部を覆う第１部分と、該第１部分から後方に延びて前記フレーム部の側方を覆う第２部分とを有したテレビジョン受像機。
【請求項７】
請求項５の記載において、
前記フロントカバー、前記フレーム部、及び前記バックカバーを接続したねじをさらに備え、前記ねじは、前記フロントカバー、前記フレーム部、及び前記バックカバーの間の熱伝導経路の一部を構成したテレビジョン受像機。
【請求項８】
請求項４の記載において、
前記液晶パネルは、一方の長辺から他方の長辺に向けて画像の書き込みが進み、
前記複数のＬＥＤは、前記画像の書き込みが進む方向に沿って並べられたテレビジョン受像機。
【請求項９】
請求項８の記載において、
前記複数のＬＥＤは、前記画像の書き込みが進む方向に複数のグループに分割され、各グループのＬＥＤは、前記画像の書き込みの進行に同期して点灯または消灯されるテレビジョン受像機。
【請求項１０】
長方形状の液晶パネルと、
導光板と、
前記液晶パネルと前記導光板との間に位置した第１部分と、前記導光板の側面に面した第２部分とを有した金属製のフレーム部と、
前記液晶パネルの短辺に沿うように前記導光板の側方で前記フレーム部の第２部分に取り付けられ、ＬＥＤを有して前記フレーム部に熱的に接続されたライトバーと、
前記導光板に重ねられた反射シートと、
前記反射シートとは反対側から前記導光板に重ねられたプリズムシートと、
前記プリズムシートに重ねられ、光拡散機能を有した偏光シートと、
外部に露出されてテレビジョン受像機の外面の一部を構成するとともに、前記フレーム部の第１部分との間に前記液晶パネルが保持され、前記フレーム部に接して前記フレーム部に熱的に接続された金属製のフロントカバーと、
を備えたテレビジョン受像機。
【手続補正３】
【補正対象書類名】明細書
【補正対象項目名】０００６
【補正方法】変更
【補正の内容】
【０００６】
実施形態によれば、テレビジョン受像機は、長方形状の液晶パネルと、導光板と、金属製のフレーム部と、ライトバーと、前記導光板に重ねられた反射シートと、前記反射シートとは反対側から前記導光板に重ねられたプリズムシートと、前記プリズムシートに重ねられ、光拡散機能を有した偏光シートと、金属製のバックカバーと、を備えている。前記フレーム部は、前記液晶パネルと前記導光板との間に位置した第１部分と、前記導光板の側面に面した第２部分とを有する。前記ライトバーは、前記液晶パネルの短辺に沿うように前記導光板の側方で前記フレーム部の第２部分に取り付けられ、ＬＥＤを有して前記フレーム部に熱的に接続されている。前記バックカバーは、外部に露出されてテレビジョン受像機の外面の一部を構成するとともに、前記フレーム部の第１部分との間に前記導光板、前記反射シート、前記プリズムシート、及び前記偏光シートが保持され、前記フレーム部に接して前記フレーム部に熱的に接続されている。
【手続補正４】
【補正対象書類名】明細書
【補正対象項目名】００６０
【補正方法】変更
【補正の内容】
【００６０】
なお、フレーム部（ミドルフレーム１３）は、第１の金属カバー（バックカバー１１）、及び第２の金属カバー（フロントカバー１５）のいずれか一方と一体に形成されてもよい。ミドルフレーム１３は、少なくともライトバー４６が取り付けられる部分が金属製であれば、他の部分が金属以外の材料で形成されても放熱を促進することができる。またミドルフレーム１３の全体を金属以外の材料で形成してもよい。ミドルフレーム１３の形状や固定構造は、上記に限定されるものではない。バックカバー１１及びフロントカバー１５は、金属製でなくてもよい。
以下に、いくつかのテレビジョン受像機及び電子機器を付記する。
［１］、(i)一方の長辺から他方の長辺に向けて画像の書き込みが進む長方形状の液晶パネルと、(ii)長方形状の導光板と、(iii)前記画像の書き込みが進む方向に沿うように前記導光板の両短辺に沿って配置され、それぞれ回路基板と、この回路基板に実装され、前記画像の書き込みが進む方向に沿って並べられた複数のＬＥＤとを有した一対のライトバーと、(iv)前記導光板に重ねられた反射シートと、(v)前記反射シートとは反対側から前記導光板に重ねられたプリズムシートと、(vi)前記プリズムシートに重ねられた偏光シートと、を備え、前記複数のＬＥＤは、前記画像の書き込みが進む方向に複数のグループに分割されるとともに、前記グループ毎に配線が個別に接続され、各グループのＬＥＤは、前記画像の書き込みの進行に同期して前記グループ毎に点灯または消灯され、前記回路基板は、金属ベースと、この金属ベース上に設けられた複数の導体層とを有し、前記グループ毎に接続された配線は、前記複数の導体層に分かれて配線されたテレビジョン受像機。
［２］、［１］の記載において、前記回路基板は、前記複数のＬＥＤが実装された基板面を有するとともに、前記反射シートに略直交する姿勢に立て起こされて配置され、前記基板面が前記導光板の側面に向かい合うテレビジョン受像機。
［３］、［２］の記載において、当該テレビジョン受像機は、前記導光板、前記反射シート、前記プリズムシート、及び前記偏光シートを含むバックライトユニットを備え、前記回路基板の短手方向の幅は、前記バックライトユニットの厚さよりも小さいテレビジョン受像機。
［４］、［３］の記載において、前記導光板の側面に対向した金属製のフレーム部を備え、前記ライトバーは、前記フレーム部に取り付けられるとともに、前記フレーム部に熱的に接続されたテレビジョン受像機。
［５］、［４］の記載において、前記バックライトユニットを覆うとともに外部に露出されたバックカバーを備え、前記フレーム部は、前記バックカバーとの間に前記バックライトユニットを保持する第１の部分と、前記バックライトユニットの側面に対向する第２の部分とを有し、前記ライトバーは、前記フレーム部の第２の部分に取り付けられたテレビジョン受像機。
［６］、［５］の記載において、前記バックカバーは、金属製であり、前記フレーム部は、前記バックカバーに熱的に接続されたテレビジョン受像機。
［７］、［６］の記載において、前記液晶パネルの縁部を覆うとともに外部に露出され、前記フレーム部との間に前記液晶パネルを保持した金属製のフロントカバーを備え、前記フレーム部は、前記フロントカバーに熱的に接続されたテレビジョン受像機。
［８］、(i)長方形状の液晶パネルと、(ii)導光板と、(iii)前記液晶パネルの短辺に沿うように前記導光板の側方に設けられ、複数のＬＥＤを有したライトバーと、(iv)前記導光板に重ねられた反射シートと、(v)前記反射シートとは反対側から前記導光板に重ねられたプリズムシートと、(vi)前記プリズムシートに重ねられ、光拡散機能を有した偏光シートと、を備えた電子機器。
［９］、［８］の記載において、前記液晶パネルは、一方の長辺から他方の長辺に向けて画像の書き込みが進み、前記複数のＬＥＤは、前記画像の書き込みが進む方向に沿って並べられた電子機器。
［１０］、［９］の記載において、前記複数のＬＥＤは、前記画像の書き込みが進む方向に複数のグループに分割され、各グループのＬＥＤは、前記画像の書き込みの進行に同期して点灯または消灯される電子機器。